(57)【要約】      （修正有）【課題】フリッカ光源下で露出ムラが発生する環境において、主被写体が中央にいない構図であっても、主被写体領域の明るさを適切にしつつ自然な画像を撮影可能な撮像タイミングの制御技術を提供する。【解決手段】撮像装置は、撮影光学系を通して結像した被写体像を光電変換して撮影画像を生成するための画像信号を出力する撮像センサと、被写体からの光の周期的な光量変化であるフリッカのピークタイミングを検出する検出手段と、撮影画像の主被写体位置を設定する設定手段と、フリッカのピークタイミングに基づいて被写体を撮像する撮像タイミングを制御する制御手段とを備える。制御手段は、撮影画像の中央の基準位置と主被写体位置との撮像センサの露光走査方向と一致する方向の距離が第１の値Ｄ１以上である場合、撮像センサの主被写体位置と基準位置との中間位置がフリッカのピークタイミングで露光されるよう撮像タイミングを制御する。【選択図】図６
2018006802.tif 000002
【特許請求の範囲】
【請求項１】
撮影光学系を通して結像した被写体像を光電変換して撮影画像を生成するための画像信号を出力する撮像センサと、
被写体からの光の周期的な光量変化であるフリッカのピークタイミングを検出する検出手段と、
前記撮影画像の主被写体位置を設定する設定手段と、
前記フリッカのピークタイミングに基づいて前記被写体を撮像する撮像タイミングを制御する制御手段と、を備え、
前記制御手段は、前記撮影画像の中央の基準位置と前記主被写体位置との前記撮像センサの露光走査方向と一致する方向の距離が第１の値以上である場合、前記撮像センサの前記主被写体位置と前記基準位置との中間の位置が前記フリッカのピークタイミングで露光されるよう前記撮像タイミングを制御することを特徴とする撮像装置。
【請求項２】
前記制御手段は、前記主被写体位置と前記基準位置との前記露光走査方向と一致する方向の距離が前記第１の値以上の場合、前記撮影画像の前記撮像センサの前記基準位置に相当する位置から前記第１の値に相当する距離だけ前記露光走査方向へ離れた位置が前記フリッカのピークタイミングで露光されるよう前記撮像タイミングを制御し、
前記第１の値未満の場合、前記撮像センサの前記主被写体位置が前記フリッカのピークタイミングで露光されるよう前記撮像タイミングを制御することを特徴とする請求項１に記載の撮像装置。
【請求項３】
前記設定手段は、前記撮影画像に存在する顔を検出する顔検出手段を有し、
前記顔検出手段によって複数の顔が検出され、それぞれの顔と顔との距離が第２の値以上である場合には、前記複数の顔から選択した１つの顔の中心を前記主被写体位置に設定することを特徴とする請求項１又は２に記載の撮像装置。
【請求項４】
前記設定手段は、前記顔検出手段によって複数の顔が検出され、それぞれの顔と顔との距離がすべて前記第２の値未満である場合には、前記複数の顔領域に対する露光量の平均が最大となる位置を前記主被写体位置に設定することを特徴とする請求項３に記載の撮像装置。
【請求項５】
前記設定手段は、前記顔検出手段によって検出された顔の大きさが第３の値以上である場合には、検出された顔の目の位置を前記主被写体位置に設定することを特徴とする請求項３に記載の撮像装置。
【請求項６】
前記設定手段は、マニュアルフォーカスモードが設定されている場合、被写体の焦点状態を検出し、ピントが合っている被写体のうち、前記基準位置からの前記露光走査方向の距離が最も近い被写体の位置を主被写体位置に設定することを特徴とする請求項３に記載の撮像装置。
【請求項７】
前記制御手段は、画像中の領域を切り出してトリミング画像を生成する設定となっている場合、前記主被写体位置に関わらず、前記トリミング画像の中央がフリッカのピークタイミングで露光されるよう前記撮像タイミングを制御することを特徴とする請求項１に記載の撮像装置。
【請求項８】
前記制御手段は、前記フリッカのピーク周期、シャッタスピードおよびシャッタの幕速から前記撮影画像に発生する前記フリッカの出現パターンを予測し、予測した前記フリッカの出現パターンに基づいて前記フリッカのピークタイミングで露光する前記撮像センサの位置を設定することを特徴とする請求項１乃至７のいずれか一項に記載の撮像装置。
【請求項９】
撮影光学系を通して結像した被写体像を光電変換して撮影画像を生成するための画像信号を出力する撮像センサを備える撮像装置の制御方法であって、
被写体からの光の周期的な光量変化であるフリッカのピークタイミングを検出する検出ステップと、
前記撮影画像の主被写体位置を設定する設定ステップと、
前記フリッカのピークタイミングに基づいて前記被写体を撮像する撮像タイミングを制御する制御ステップと、を備え、
前記制御ステップは、前記撮影画像の中央の基準位置と前記主被写体位置との前記撮像センサの露光走査方向と一致する方向の距離が第１の値以上である場合、前記撮像センサの前記主被写体位置と前記基準位置との中間の位置が前記フリッカのピークタイミングで露光されるよう前記撮像タイミングを制御することを特徴とする撮像装置の制御方法。
【請求項１０】
請求項９に記載の撮像装置の制御方法の各ステップをコンピュータに実行させることを特徴とするプログラム。
【発明の詳細な説明】
【技術分野】
【０００１】
本発明は、例えばデジタルカメラ等の撮像装置に関し、特にフリッカ（被写体からの光の周期的な光量変化）による露光ムラを改良する技術に関する。
【背景技術】
【０００２】
デジタルカメラ等の撮像装置では、近年の高ＩＳＯ化に伴い、フリッカの発生する人工光源下でも高速シャッタが切れるようになってきている。高速シャッタ撮影では、室内スポーツの撮影などでブレのない写真を撮影できるメリットがある一方、フリッカ光源下では、フリッカの影響により、フレーム毎、もしくは１フレーム内でも、画像の露出や色のムラが発生してしまうことがある。
【０００３】
このような問題に対して、フリッカを検出し、明暗の変化が最も少ないフリッカのピーク位置で露光を行うことで、フリッカの影響を軽減する方法がある。例えば、オートフォーカス（ＡＦ）領域を含むラインの露光がフリッカのピークのタイミングで行われるよう、垂直同期信号の出力タイミングを調整してＡＦ時にラインフリッカの影響が出ないようにする技術が提案されている（特許文献１）。
【０００４】
また、撮像動作のタイミングを調整し、画像全体の明るさの平均が最も高くなり、かつ画像中の露出ムラが最小限となるタイミングで撮像する技術が提案されている（特許文献２）。この提案では、必然的に画像中央にフリッカのピークが現れるため、フリッカ光源下においても見た目に自然な画像を生成することができるとしている。
【先行技術文献】
【特許文献】
【０００５】
【特許文献１】特開２０１０−１０３７４６号公報
【特許文献２】特開２０１４−２２０７６４号公報
【発明の概要】
【発明が解決しようとする課題】
【０００６】
しかし、上記特許文献１では、ＡＦ時にＡＦ領域を含むラインがフリッカのピークで露光されるよう垂直同期信号を調節するため、ＡＦ領域が画像の上端や下端にある場合には、フリッカのピークも画像の上端や下端に現れる。そのため、同じタイミングで撮影用の画像を撮像した場合には、見た目に不自然な画像が撮像されるという問題がある。
【０００７】
また、上記特許文献２では、常にフリッカのピークが画像中央に現れるタイミングで撮像するため、主被写体が中央にいない構図の場合、主被写体が暗く写ってしまうという問題がある。
【０００８】
そこで、本発明は、フリッカ光源下で露出ムラが発生する環境において、主被写体が中央にいない構図であっても、主被写体領域の明るさを適切にしつつ自然な画像を撮影可能な撮像タイミングの制御技術を提供することを目的とする。
【課題を解決するための手段】
【０００９】
上記目的を達成するために、本発明の撮像装置は、撮影光学系を通して結像した被写体像を光電変換して撮影画像を生成するための画像信号を出力する撮像センサと、被写体からの光の周期的な光量変化であるフリッカのピークタイミングを検出する検出手段と、前記撮影画像の主被写体位置を設定する設定手段と、前記フリッカのピークタイミングに基づいて前記被写体を撮像する撮像タイミングを制御する制御手段と、を備え、前記制御手段は、前記撮影画像の中央の基準位置と前記主被写体位置との前記撮像センサの露光走査方向と一致する方向の距離が第１の値以上である場合、前記撮像センサの前記主被写体位置と前記基準位置との中間の位置が前記フリッカのピークタイミングで露光されるよう前記撮像タイミングを制御することを特徴とする。
【発明の効果】
【００１０】
本発明によれば、フリッカ光源下で露出ムラが発生する環境において、主被写体が中央にいない構図であっても、主被写体領域の明るさを適切にしつつ自然な画像を撮影することができる。
【図面の簡単な説明】
【００１１】
【図１】（ａ）は本発明の撮像装置の実施形態の一例であるデジタル一眼レフカメラの概略断面図、（ｂ）は（ａ）に示すデジタル一眼レフカメラの制御系を示すブロック図である。
【図２】デジタル一眼レフカメラの撮像動作を説明するフローチャート図である。
【図３】フリッカ同期信号を説明するタイミングチャート図である。
【図４】フリッカ波形と撮像タイミングとの関係を説明する図である。
【図５】図２のステップＳ２０４における主被写体位置の設定処理について説明するフローチャート図である。
【図６】図２のステップＳ２０７における撮像タイミング制御について説明するフローチャート図である。
【図７】画像とフリッカピーク位置との関係を説明する図である。
【発明を実施するための形態】
【００１２】
以下に、図面を参照して、本発明の実施形態の一例を説明する。
【００１３】
図１（ａ）は本発明の撮像装置の実施形態の一例であるデジタル一眼レフカメラの概略断面図、図１（ｂ）は図１（ａ）に示すデジタル一眼レフカメラの制御系を示すブロック図である。
【００１４】
本実施形態のデジタル一眼レフカメラは、図１に示すように、カメラ本体２０１の正面側（被写体側）に交換式のレンズユニット２２０が着脱可能に装着される。レンズユニット２２０は、フォーカスレンズ２２１及び絞り２２２等を有し、カメラ本体２０１に対してマウント接点部２２３を介して電気的に接続されることで、カメラ本体２０１に取り込む光量と焦点位置を調節できるようになっている。なお、フォーカスレンズ２２１は、撮影者が手動で調節することもできる。
【００１５】
システム制御部２０２は、ＣＰＵやＲＡＭ及びＲＯＭ等を備え、カメラ本体２０１及びレンズユニット２２０の各部を制御する。メインミラー２０３及びサブミラー２０４は、ファインダ観察時に、撮影光路に進入してレンズユニット２２０を通過した被写体光束をピント板２０６に導き、撮影時に、撮影光路から退避して被写体光束を撮像センサ２１１に導く。メインミラー２０３は、ハーフミラーで構成され、サブミラー２０４は、メインミラー２０３を透過した被写体光束の一部を反射して測距センサ２０５へ導く。
【００１６】
測距センサ２０５は、被写体光束の二次結像面を焦点検出ラインセンサ上に形成することで、複数の測距点に対応するＡＦ像信号を生成する。生成されたＡＦ像信号はシステム制御部２０２へ送信され、システム制御部２０２は、ＡＦ像信号を用いてフォーカスレンズ２２１の焦点状態を検出する。さらにシステム制御部２０２は、焦点検出の結果に基づいてフォーカスレンズ２２１の駆動を制御することで焦点調節を行う。
【００１７】
ペンタダハプリズム２０７は、ピント板２０６に結像した被写体光束を正立正像の被写体像に変換し、変換された被写体像は、測光センサ２０８に導かれるとともに、光学ファインダを通してアイピース２０９で観察することができる。測光センサ２０８は、被写体に照射される光信号から測光像信号及び被写体からの光の周期的な光量変化であるフリッカの像信号を生成する。生成された像信号は、システム制御部２０２に送信され、システム制御部２０２は、測光像信号を用いて測光演算および顔検出、フリッカ像信号を用いてフリッカ検出演算を行う。
【００１８】
撮像センサ２１１は、ＣＣＤセンサやＣＭＯＳセンサ等で構成され、赤外カットフィルタやローパスフィルタ等を含む。撮像センサ２１１は、撮影時にレンズユニット２２０の撮影光学系を通過して結像した被写体像を光電変換して撮影画像を生成するための画像信号をシステム制御部２０２に出力する。システム制御部２０２は、取得した画像信号から撮影画像を生成して画像記憶部２４１へ保存するとともに、ＬＣＤ等の表示部２１２に表示する。シャッタ２１０は、非撮影時には閉じて撮像センサ２１１を遮光し、撮影時には開いて撮像センサ２１１へ被写体光束を導く。
【００１９】
操作部２４０は、不図示のレリーズボタン、スイッチ、ダイアル、接続機器等を介して行ったユーザ操作を検知し、操作内容に応じた信号をシステム制御部２０２へ送る。レリーズボタンが半押し操作等されると、レリーズスイッチＳＷ１がオンしてＡＦやＡＥ等の撮影準備動作が行われ、レリーズボタンが全押し操作等されると、レリーズスイッチＳＷ２がオンして撮影動作が行われる。
【００２０】
次に、図２乃至図４を参照して、上記構成のデジタル一眼レフカメラ（以下、カメラという。）の撮像に関わる動作について説明する。図２は、カメラの撮像に関わる動作を説明するフローチャート図である。図２の各処理は、システム制御部２０２のＲＯＭ等に格納されたプログラムがＲＡＭに展開されてＣＰＵ等により実行される。
【００２１】
図２において、ステップＳ２０１では、システム制御部２０２は、測光センサ２０８により測光演算用の電荷の蓄積と像信号の読み出しを行って生成された測光像信号を取得する。そして、システム制御部２０２は、取得した測光像信号を用いて公知の方法により測光演算を行い、絞り値（ＡＶ値）、シャッタスピード（ＴＶ値）、ＩＳＯ感度（ＩＳＯ値）を決定し、ステップＳ２０２に進む。ここでのＡＶ値、ＴＶ値、ＩＳＯ値は、予め記憶されたプログラム線図を用いて決定する。
【００２２】
ステップＳ２０２では、システム制御部２０２は、測光センサ２０８により、公知の方法によりフリッカ検出用の電荷の蓄積と像信号の読み出しを複数回行って生成されたフリッカ像信号を取得する。そして、システム制御部２０２は、取得したフリッカ像信号を用いてフリッカ検出演算を行ってフリッカの周波数とピークタイミングｔ＿ｐｅａｋを算出し、ステップＳ２０３に進む。
【００２３】
ステップＳ２０３では、システム制御部２０２は、ステップＳ２０２で算出したフリッカの周波数とピークタイミングからフリッカ同期信号を生成し、ステップＳ２０４に進む。ここで、フリッカ同期信号は、フリッカの周期Ｔ毎に発生するフリッカのピークタイミングを表す信号である。具体的には、図３に示すように、ステップＳ２０２で検出したｔ＿ｐｅａｋを基準として、ｔ＿ｐｅａｋ＋ｍ×Ｔ（ｍは任意の自然数）のタイミングで変化する信号である。
【００２４】
ステップＳ２０４では、システム制御部２０２は、主被写体位置を設定し、ステップＳ２０５に進む。具体的には、システム制御部２０２は、ステップＳ２０１で取得した測光像信号に対して顔検出処理を行い、検出された顔の位置や大きさに基づいて主被写体位置を決定する。ここで設定された主被写体位置情報は、フリッカのピークタイミングに合わせて撮像タイミングを制御するのに用いられる。主被写体位置の決定方法の詳細については、図５を用いて後述する。
【００２５】
ステップＳ２０５では、システム制御部２０２は、測距センサ２０５により、焦点検出用の電荷の蓄積と像信号の読み出しを行って生成されたＡＦ像信号を取得する。そして、システム制御部２０２は、取得したＡＦ像信号から各測距点の焦点状態を検出し、そのうち１つの測距点の焦点状態に基づいてフォーカスレンズ２２１の焦点位置を調節し、ステップＳ２０６に進む。
【００２６】
ここで焦点調節に用いられる測距点は、ステップＳ２０４で顔が検出されていれば、その中で最も検出サイズが大きい顔に一致する測距点が選択される。一方、顔が検出されなければ、カメラから見て最も近い焦点を持つ測距点が選択される。ただし、フォーカスレンズ２２１の焦点調節を手動で行う設定となっている場合には、焦点検出及びフォーカスレンズ２２１の焦点調節は行わない。
【００２７】
ステップＳ２０６では、システム制御部２０２は、レリーズスイッチＳＷ２がオンされていれば、ステップＳ２０７に進み、オンされていなければ、ステップＳ２０１に戻る。
【００２８】
ステップＳ２０７では、システム制御部２０２は、ステップＳ２０３で生成したフリッカ同期信号及びステップＳ２０１で決定したＴＶ値に基づいて撮像動作を行うタイミングを決定し、ステップＳ２０８に進む。
【００２９】
ここで、図４を参照して、撮像動作のタイミングに関して説明する。図４（ａ）及び図４（ｂ）の横軸は、時間を表し、フリッカの光量変化とシャッタ２１０の先幕及び後幕が走行するタイミングを表している。シャッタ２１０は、撮像動作において、先幕と後幕が撮像センサ２１１の上側から下側の方向へ走行する。点Ａは、撮像センサ２１１の中央を先幕と後幕がそれぞれ通過する時刻の中央のタイミングを示している。
【００３０】
図４（ａ）に示すように、点Ａがフリッカピークと一致するタイミングで撮像を行うことにより、撮像センサ２１１の中央の露光量が最も大きくなり、また、上端と下端で露光量が一致することになる。その結果、画像中の露出ムラは最小限に抑えられ、自然な画像を撮影することができる。
【００３１】
しかし、常にこのタイミングで撮像を行った場合、図４（ｂ）に示すように、主被写体５０１が画像中央と異なる位置にいる場合には、主被写体５０１が暗く映ってしまう。この場合、図４（ｂ）に示す点Ｂとフリッカピークとがより近くなるタイミングで撮像センサ２１１を露光すれば、主被写体を明るく撮像することができる。
【００３２】
そこで、本実施形態では、ステップＳ２０４で設定した主被写体位置に基づいて撮像のタイミングを制御し、点Ａから点Ｂの方へフリッカピークが現れるタイミングをずらして撮像する。こうすることにより、主被写体が画像中央から離れている場合にも、主被写体を明るく撮像できるようになる。ただし、フリッカピークの位置が画像中央から大きくずれ過ぎると、不自然な画像となってしまうため、画像中央を基準位置として、基準位置からフリッカピークの位置をずらすタイミングの大きさには制限を設ける。なお、画像タイミング制御の詳細については、図６及び図７を用いて後述する。
【００３３】
ステップＳ２０８では、システム制御部２０２は、撮像動作を行い、撮像センサ２１１より取得した画像データを画像記憶部２４１に保存するとともに、表示部２１２に表示して、処理を終了する。
【００３４】
次に、図５を参照して、図２のステップＳ２０４における主被写体位置の設定処理について説明する。
【００３５】
図５において、ステップＳ５０１では、システム制御部２０２は、図２のステップＳ２０１で取得した測光像信号に対して公知の顔検出処理を行い、測光像信号中に写っている顔の位置とサイズを検出し、ステップＳ５０２に進む。
【００３６】
ステップＳ５０２では、システム制御部２０２は、レンズユニット２２０の設定情報を取得し、マニュアルフォーカスモードが設定されている場合は、ステップＳ５０３に進み、オートフォーカスモードが設定されている場合は、ステップＳ５０４に進む。
【００３７】
ステップＳ５０３では、システム制御部２０２は、測距センサ２０５によって焦点検出用の電荷蓄積と像信号の読み出しを行って生成されたＡＦ像信号を取得する。そして、システム制御部２０２は、取得したＡＦ像信号から各測距点の焦点状態を検出し、デフォーカス量が所定値Ｆ以内でピントが合っている測距点のうち、画像中央の基準位置からの露光走査方向の距離が最も近い測距点を選択する。さらに、システム制御部２０２は、選択した測距点の位置を主被写体位置に設定し、処理を終了する。
【００３８】
これは、撮影者が手動でフォーカスレンズ２２１の焦点調節を行った場合、撮影者が意図する主被写体に焦点が合っていると推測されるためである。これにより、フリッカ光源下においても、撮影者が意図する主被写体を明るく撮影することができる。
【００３９】
一方、ステップＳ５０４では、システム制御部２０２は、ステップＳ５０１で検出された顔の数が０の場合は、ステップＳ５０５に進み、顔の数が１つの場合は、ステップＳ５０９に進み、顔の数が２以上の場合は、ステップＳ５０６に進む。
【００４０】
ステップＳ５０５では、システム制御部２０２は、主被写体を検出できなかったと判定して主被写体を「なし」に設定し、処理を終了する。
【００４１】
ステップＳ５０６では、システム制御部２０２は、検出された２以上の全ての顔の検出位置を参照し、それぞれの顔と顔との距離を算出し、算出した結果に基づき、それぞれの顔と顔との距離が全て所定値Ｄ２未満（第２の値未満）であるか否かを判定する。そして、システム制御部２０２は、それぞれの顔と顔との距離が全てＤ２未満であれば、ステップＳ５０７に進み、所定値Ｄ２以上（第２の値以上）である組み合わせが１組でもあれば、ステップＳ５０８に進む。ここで、所定値Ｄ２は、固定の数値でも良いし、画像上に露出ムラとして現れるフリッカの周期に応じて、フリッカの光量が一定レベル以上で露光できる範囲の広さに基づいて設定してもよい。
【００４２】
ステップＳ５０７では、システム制御部２０２は、ステップＳ５０１で検出された全ての顔領域について露光走査方向の位置の平均を算出し、その算出結果を主被写体位置に設定して、処理を終了する。これは、全ての顔が近くに存在している場合には、全ての顔領域の露光量の平均が最大となる位置を主被写体位置に設定することにより、できる限り多くの顔を明るく撮影できるようにするためである。
【００４３】
ステップＳ５０８では、システム制御部２０２は、ステップＳ５０１で検出された２以上の顔から１つの主顔を選択して主被写体位置に設定し、ステップＳ５０９に進む。ここで、主顔は、全ての顔の中から検出されたサイズが最も大きいものとする。あるいは、画像中央に最も近い顔や、主測距点に最も近い顔を主顔としてもよい。
【００４４】
ステップＳ５０９では、システム制御部２０２は、ステップＳ５０４で判定された１つの顔、あるいはステップＳ５０８で選択された主顔が所定のサイズＳ１以上（第３の値以上）であれば、ステップＳ５１０に進む。また、システム制御部２０２は、ステップＳ５０４で判定された１つの顔、あるいはステップＳ５０８で選択された主顔が所定のサイズＳ１未満（第３の値未満）であれば、ステップＳ５１１に進む。サイズＳ１は、固定の数値でも良いし、画像上に露出ムラとして現れるフリッカの周期に応じて、フリッカの光量が一定レベル以上で露光できる範囲の広さに基づいて設定してもよい。
【００４５】
ステップＳ５１０では、システム制御部２０２は、主顔の目の位置を主被写体位置に設定し、処理を終了する。これは、フリッカの周期に対して顔の大きさが十分大きい場合には、顔の領域内にもフリッカの影響が現れてしまうため、顔領域の中で多くの撮影者が重視する傾向のある目の位置を最も明るく撮影するためである。
【００４６】
ステップＳ５１１では、システム制御部２０２は、主顔の中心を主被写体位置に設定し、処理を終了する。
【００４７】
次に、図６及び図７を参照して、図２のステップＳ２０７における撮像タイミング制御について説明する。
【００４８】
図６において、ステップＳ６０１では、システム制御部２０２は、撮影者が指定した画像中の領域を切り出してトリミング画像を生成する設定となっているか否かを判定する。そして、システム制御部２０２は、自動でトリミング画像を生成する設定となっている場合は、ステップＳ６０２に進み、そうでない場合は、ステップＳ６０３に進む。
【００４９】
ステップＳ６０２では、システム制御部２０２は、トリミング領域の中央に相当する撮像センサ２１１上の位置をフリッカピークの露光位置に設定し、ステップＳ６０８に進む。これにより、トリミング後の画像を自然な露出で撮影することができる。
【００５０】
ステップＳ６０３では、システム制御部２０２は、図２のステップＳ２０４で主被写体位置が設定されているか否かを判定し、主被写体位置が設定されていれば、ステップＳ６０５に進み、設定されていなければ、ステップＳ６０４に進む。
【００５１】
ステップＳ６０４では、システム制御部２０２は、図４（ａ）に示すように、撮像センサ２１１の中央をフリッカピークの露光位置に設定し、ステップＳ６０８に進む。ここでは、重要視する主被写体が検出されていないため、画像全体が最も自然な露出となるようにしている。
【００５２】
ステップＳ６０５では、システム制御部２０２は、図２のステップＳ２０４で設定された主被写体位置から画像中央の基準位置までの露光走査方向の距離が所定値Ｄ１以上（第１の値以上）か否かを判定する。そして、システム制御部２０２は、主被写体位置から画像中央までの露光走査方向の距離が所定値Ｄ１以上であれば、ステップＳ６０７に進み、所定値Ｄ１未満（第１の値未満）であれば、ステップＳ６０６に進む。
【００５３】
ステップＳ６０６では、システム制御部２０２は、図７（ｂ）に示すように、撮像センサ２１１上において図２のステップＳ２０４で設定された主被写体位置をフリッカピークの露光位置に設定し、ステップＳ６０８に進む。これにより、主被写体領域を適切な露光で撮像することができる。図７（ｂ）では、図７（ａ）と比較してフリッカのピーク位置を画像中央からずらしていることが分かる。
【００５４】
ステップＳ６０７では、システム制御部２０２は、図７（ｃ）に示すように、撮像センサ２１１の中央と主被写体位置との中間にあり、かつ、中央から露光走査方向へ距離Ｄ１にある位置をフリッカピークの露光位置に設定し、ステップＳ６０８に進む。
【００５５】
この場合、主被写体は、画像中央から一定以上離れた位置に存在するため、仮に画像の中央をフリッカピークの露光位置とした場合には、主被写体は、暗く写ってしまうことになる。一方、ステップＳ６０６のように、主被写体位置をフリッカピークの露光位置とした場合には、フリッカピークが画像中央から大きく離れてしまい、見た目に不自然な画像が撮像されてしまう。
【００５６】
そこで、画像中央の基準位置と主被写体位置との中間にフリッカピークの露光位置を設定することで、見た目の自然さを損なわない範囲で主被写体を明るく撮影することができる。
【００５７】
ステップＳ６０８では、システム制御部２０２は、Ｓ６０２、Ｓ６０４、Ｓ６０６、Ｓ６０７のいずれかで設定された撮像センサ２１１上のフリッカピーク露光位置が実際にフリッカのピークタイミングで露光されるよう撮像タイミングを制御し、処理を終了する。
【００５８】
ただし、システム制御部２０２は、フリッカのピーク周期、ステップＳ２０１で決定したＴＶ値、シャッタ２１０の幕速に基づいて撮影画像に出現するフリッカのパターンを予測し、予測されたパターンに応じてフリッカピーク露光位置を修正する。
【００５９】
具体的には、フリッカの出現パターンを予測した結果、フリッカピーク露光位置を画像中央に設定した場合でも、主被写体位置が所定以上の明るさで撮影可能であれば、フリッカピーク露光位置を画像中央に再設定した上で撮像タイミングを制御する。これは、画像中央をフリッカピーク露光位置とした場合でも、主被写体を十分な明るさで撮影できる場合には、フリッカピーク位置が画像中央にある方が自然な画像を撮影できるためである。
【００６０】
以上説明したように、本実施形態では、フリッカ光源下で露出ムラが発生する環境において、主被写体が中央にいない構図であっても、主被写体領域の明るさを適切にしつつ自然な画像を撮影することができる。
【００６１】
なお、本発明は、上記実施形態に例示したものに限定されるものではなく、本発明の要旨を逸脱しない範囲において適宜変更可能である。
【００６２】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
２０１  カメラ本体
２０２  システム制御部
２０５  測距センサ
２０８  測光センサ
２１０  シャッタ
２１１  撮像センサ
２２０  レンズユニット
【図１】
2018006802.tif 000003
【図２】
2018006802.tif 000004
【図３】
2018006802.tif 000005
【図４】
2018006802.tif 000006
【図５】
2018006802.tif 000007
【図６】
2018006802.tif 000008
【図７】
2018006802.tif 000009